(57)【要約】【課題】商品の販売元の不正を抑制しつつ、販売元のセールへの参加を容易にする。【解決手段】本願に係る提供装置は、生成部と、提供部とを有する。生成部は、開催期間が設定されたセールであって、所定の電子商取引サービスにおいて販売される商品の価格を値引きするセールに関する情報を生成する。提供部は、セールの開催の告知日時以降に価格が変更されていない商品をセールに対して登録可能に、商品を販売する販売元に前記セールに関する情報を提供する。【選択図】図２
2018142140.tif 000002
【特許請求の範囲】
【請求項１】
開催期間が設定されたセールであって、所定の電子商取引サービスにおいて販売される商品の価格を値引きするセールに関する情報を生成する生成部と、
前記セールの開催の告知日時以降に価格が変更されていない商品を前記セールに対して登録可能に、商品を販売する販売元に前記セールに関する情報を提供する提供部と、
を備えることを特徴とする提供装置。
【請求項２】
前記提供部は、
前記告知日時以降に値上げされていない商品を前記セールに対して登録可能に、商品を販売する販売元に前記セールに関する情報を提供する
ことを特徴とする請求項１に記載の提供装置。
【請求項３】
前記生成部は、
参加条件に基づいて登録可否が設定された前記セールに関する情報を生成し、
前記提供部は、
前記参加条件を満たす販売元が商品を前記セールに対して登録可能に前記セールに関する情報を販売元に提供する
ことを特徴とする請求項１または請求項２に記載の提供装置。
【請求項４】
前記生成部は、
販売元に関する条件を含む前記参加条件に基づいて登録可否が設定された前記セールに関する情報を生成する
ことを特徴とする請求項３に記載の提供装置。
【請求項５】
前記生成部は、
販売元の評価に関するスコア、または、販売元が提供する商品のキャンセル率に関する条件を含む前記参加条件に基づいて登録可否が設定された前記セールに関する情報を生成する
ことを特徴とする請求項４に記載の提供装置。
【請求項６】
前記生成部は、
販売元が提供する商品に関する条件を含む前記参加条件に基づいて登録可否が設定された前記セールに関する情報を生成する
ことを特徴とする請求項３〜５のいずれか１項に記載の提供装置。
【請求項７】
前記生成部は、
販売元が提供する商品の在庫、商品数、または商品の種別に関する条件を含む前記参加条件に基づいて登録可否が設定された前記セールに関する情報を生成する
ことを特徴とする請求項６に記載の提供装置。
【請求項８】
前記生成部は、
割引率または割引額に関する条件が設定された前記セールに関する情報を生成し、
前記提供部は、
前記割引率または前記割引額を指定可能に前記セールに関する情報を販売元に提供する
ことを特徴とする請求項１〜７のいずれか１項に記載の提供装置。
【請求項９】
前記提供部は、
前記割引率または前記割引額を商品ごとに指定可能に前記セールに関する情報を販売元に提供する
ことを特徴とする請求項８に記載の提供装置。
【請求項１０】
前記生成部は、
商品を登録可能なエントリー期間が設定された前記セールに関する情報を生成し、
前記提供部は、
前記エントリー期間内において商品を登録可能に、前記セールに関する情報を販売元に提供する
ことを特徴とする請求項１〜９のいずれか１項に記載の提供装置。
【請求項１１】
前記生成部は、
前記セールに登録された登録済み商品が値引きされていることを示すセール情報を生成し、
前記提供部は、
前記所定の電子商取引サービスを利用するユーザに前記開催期間内において前記セール情報を提供する
ことを特徴とする請求項１〜１０のいずれか１項に記載の提供装置。
【請求項１２】
前記生成部は、
前記登録済み商品の一覧情報であるセール情報を生成し、
前記提供部は、
前記ユーザの指定に応じて表示態様を変更可能な前記セール情報を前記ユーザに提供する
ことを特徴とする請求項１１に記載の提供装置。
【請求項１３】
前記提供部は、
前記登録済み商品のうち、前記ユーザが指定した条件を満たす商品のみを含む前記セール情報を前記ユーザに提供する
ことを特徴とする請求項１２に記載の提供装置。
【請求項１４】
前記セールに関する情報が提供された販売元から商品の登録に関する情報を取得する取得部、
をさらに備えることを特徴とする請求項１〜１３のいずれか１項に記載の提供装置。
【請求項１５】
コンピュータが実行する提供方法であって、
開催期間が設定されたセールであって、所定の電子商取引サービスにおいて販売される商品の価格を値引きするセールに関する情報を生成する生成工程と、
前記セールの開催の告知日時以降に価格が変更されていない商品を前記セールに対して登録可能に、商品を販売する販売元に前記セールに関する情報を提供する提供工程と、
を含むことを特徴とする提供方法。
【請求項１６】
開催期間が設定されたセールであって、所定の電子商取引サービスにおいて販売される商品の価格を値引きするセールに関する情報を生成する生成手順と、
前記セールの開催の告知日時以降に価格が変更されていない商品を前記セールに対して登録可能に、商品を販売する販売元に前記セールに関する情報を提供する提供手順と、
をコンピュータに実行させることを特徴とする提供プログラム。
【発明の詳細な説明】
【技術分野】
【０００１】
本発明は、提供装置、提供方法、及び提供プログラムに関する。
【背景技術】
【０００２】
近年、インターネットの飛躍的な普及に伴い、インターネットを介した販売が盛んになり、例えば、ＥＣ（Electronic  Commerce）サイトに商品を出品し、商品をユーザに販売する技術が提供されている。また、このようなＥＣサイトにおいては、商品を所定の時間を区切って安価に販売する値引きセールであるタイムセール等が行われており、タイムセールをユーザに事前に告知する技術が知られている。
【先行技術文献】
【特許文献】
【０００３】
【特許文献１】特開２０１３−２４７６３７号公報
【発明の概要】
【発明が解決しようとする課題】
【０００４】
しかしながら、上記の従来技術では、商品の販売元の不正を抑制しつつ、販売元のセールへの参加を容易にすることができるとは限らない。例えば、商品の販売元が自身で値引きセールを設定したりする場合、販売元の手間がかかり煩雑である。このような場合、値引きセールへの販売元の参加を促進することが難しく、商品の販売元が値引きセールへ参加することが難しい。また、商品の販売元がセールの開催前に商品の値上げをすることにより、セールにおける割引幅や割引額が大きくなるような不正を行う場合がある。
【０００５】
本願は、上記に鑑みてなされたものであって、商品の販売元の不正を抑制しつつ、販売元のセールへの参加を容易にする提供装置、提供方法、及び提供プログラムを提供することを目的とする。
【課題を解決するための手段】
【０００６】
本願に係る提供装置は、開催期間が設定されたセールであって、所定の電子商取引サービスにおいて販売される商品の価格を値引きするセールに関する情報を生成する生成部と、前記セールの開催の告知日時以降に価格が変更されていない商品を前記セールに対して登録可能に、商品を販売する販売元に前記セールに関する情報を提供する提供部と、を備えることを特徴とする。
【発明の効果】
【０００７】
実施形態の一態様によれば、商品の販売元の不正を抑制しつつ、販売元のセールへの参加を容易にすることができるという効果を奏する。
【図面の簡単な説明】
【０００８】
【図１】図１は、実施形態に係る提供処理の一例を示す図である。
【図２】図２は、実施形態に係る提供装置の構成例を示す図である。
【図３】図３は、実施形態に係るストア情報記憶部の一例を示す図である。
【図４】図４は、実施形態に係る商品情報記憶部の一例を示す図である。
【図５】図５は、実施形態に係るセール情報記憶部の一例を示す図である。
【図６】図６は、実施形態に係る条件情報記憶部の一例を示す図である。
【図７】図７は、実施形態に係る提供処理の一例を示すフローチャートである。
【図８】図８は、実施形態に係る提供処理の一例を示すフローチャートである。
【図９】図９は、実施形態に係る各期間の関係の一例を示す図である。
【図１０】図１０は、実施形態に係るユーザに対する表示の一例を示す図である。
【図１１】図１１は、実施形態に係るセールに応じた登録可否の一例を示す図である。
【図１２】図１２は、実施形態に係る商品に応じた登録可否の一例を示す図である。
【図１３】図１３は、提供装置の機能を実現するコンピュータの一例を示すハードウェア構成図である。
【発明を実施するための形態】
【０００９】
以下に、本願に係る提供装置、提供方法、及び提供プログラムを実施するための形態（以下、「実施形態」と呼ぶ）について図面を参照しつつ詳細に説明する。なお、この実施形態により本願に係る提供装置、提供方法、及び提供プログラムが限定されるものではない。また、以下の各実施形態において同一の部位には同一の符号を付し、重複する説明は省略される。
【００１０】
（実施形態）
〔１．提供処理〕
図１を用いて、実施形態に係る提供処理の一例について説明する。図１は、実施形態に係る提供処理の一例を示す図である。図１の例では、商品を所定の時間を区切って安価に販売する値引きイベントであるタイムセール（以下、単に「セール」ともいう）に、商品の販売元（以下、「ストア」ともいう）が商品を登録（入稿）し、ストアが登録した商品をユーザが閲覧する場合を示す。また、図１では、提供装置１００がストアにセール情報を提供し、ストアの管理者等にセールへの商品の登録を可能にする場合を示す。なお、ここでいう商品には、ストアが提供する役務（サービス）が含まれてもよい。また、図１では、提供装置１００は、ユーザの要求に応じて、ユーザにセールの対象となっている商品に関する情報（以下、「セール対象商品情報」ともいう）を提供する場合を示す。
【００１１】
図１に示すように、提供システム１には、端末装置１０と、ストア装置２０と、提供装置１００とが含まれる。端末装置１０と、ストア装置２０と、提供装置１００とは図示しない所定のネットワークＮ（図１３参照）を介して、有線または無線により通信可能に接続される。また、図１に示した提供システム１には、複数台の端末装置１０や、複数台のストア装置２０や、複数台の提供装置１００が含まれてもよい。
【００１２】
端末装置１０は、ユーザによって利用される情報処理装置である。端末装置１０は、例えば、スマートフォンや、タブレット型端末や、ノート型ＰＣ（Personal  Computer）や、デスクトップＰＣや、携帯電話機や、ＰＤＡ（Personal  Digital  Assistant）等により実現される。図１に示す例においては、端末装置１０がユーザが利用するスマートフォンである場合を示す。なお、以下では、端末装置１０をユーザと表記する場合がある。すなわち、以下では、ユーザを端末装置１０と読み替えることもできる。具体的には、図１では、端末装置１０がユーザＩＤ「Ｕ１」により識別されるユーザ（以下、「ユーザＵ１」とする場合がある）が利用するスマートフォンである場合を示す。
【００１３】
また、図１に示す例においては、端末装置１０の画面の表示に応じて、端末装置１０を端末装置１０−１、１０−２として説明する。なお、端末装置１０−１、１０−２は同一の端末装置１０である。また、以下では、端末装置１０−１、１０−２について、特に区別なく説明する場合には、端末装置１０と記載する。
【００１４】
ストア装置２０は、販売元であるストアＡの管理者Ｍ１によって利用される情報処理装置である。例えば、ストアＡの管理者Ｍ１は、ストア装置２０を用いて、電子商取引サービスにおいて販売する商品を追加したり、販促割合の設定を行ったりする。また、ストア装置２０は、例えば、スマートフォンや、タブレット型端末や、ノート型ＰＣや、デスクトップＰＣや、携帯電話機や、ＰＤＡ等により実現される。図１は、ストア装置２０がノート型ＰＣである場合を示す。
【００１５】
また、図１に示す例においては、ストア装置２０の画面の表示に応じて、ストア装置２０をストア装置２０−１、２０−２として説明する。なお、ストア装置２０−１、２０−２は同一のストア装置２０である。また、以下では、ストア装置２０−１、２０−２について、特に区別なく説明する場合には、ストア装置２０と記載する。
【００１６】
例えば、ストアＡの管理者Ｍ１は、ストア装置２０を用いて、セール情報を閲覧したり、商品を登録するセールを指定したりする。また、例えば、ストアＡの管理者Ｍ１は、ストア装置２０を用いて、割引率や割引額等を指定して、セールに商品を登録する。
【００１７】
提供装置１００は、開催期間が設定されたセールであって、所定の電子商取引サービスにおいて販売される商品の価格を値引きするセールに関する情報を生成する情報処理装置である。また、提供装置１００は、セールの開催を告知（告示）する告知日時以降に価格が変更されていない商品をセールに対して登録可能に、商品を販売する販売元にセールに関する情報を提供する。例えば、提供装置１００は、ストアＡの管理者Ｍ１が利用するストア装置２０に、ストアＡがセールの開催の告知日時以降に価格が変更されていない商品をセールに対して登録可能に、セール情報を提供する。
【００１８】
また、図１に示す例では、提供装置１００が電子商取引サービスを提供するものとする。また、提供装置１００は、端末装置１０から取得した要求に応じた商品情報を提供する情報提供サービスを提供する。図１の例では、提供装置１００は、ユーザからの要求に応じて、ユーザが指定したセールの対象となっているセール対象商品に関する情報を端末装置１０へ提供する。
【００１９】
なお、図１では、提供装置１００が情報提供サービスや電子商取引サービスを提供する場合を示すが、外部の情報処理装置が情報提供サービスや電子商取引サービスを提供する場合、提供装置１００は情報提供サービスや電子商取引サービスを提供しなくてもよい。この場合、提供装置１００は、情報提供サービスや電子商取引サービスを提供する外部の情報処理装置等から種々の情報を取得し、ストアへのセール情報やユーザへのセール対象商品情報の提供を行ってもよい。
【００２０】
まず、提供装置１００は、ストアＡの管理者Ｍ１が利用するストア装置２０からセール情報の要求を取得する（ステップＳ１１）。図１の例では、提供装置１００は、１０月１８日１２時にストア装置２０からセール情報の要求を取得する。例えば提供装置１００は、２０１６年１０月１８日１２時にストア装置２０からセール情報の要求を取得する。なお、以下では、「２０１６年」等の年に記載は省略するが、特に説明がない限り、同じ年であるものとする。
【００２１】
そして、提供装置１００は、ストアＡからの要求に応じて、ストアＡへ提供するセール情報を生成する（ステップＳ１２）。図１の例では、提供装置１００は、セール情報記憶部１２３（図５参照）に記憶された各セールに関する情報に基づいて、ストアＡへ提供するセール情報を生成する。例えば、提供装置１００は、セール情報記憶部１２３からストアＡに情報提供するセールに関する情報を抽出する。例えば、提供装置１００は、セール情報記憶部１２３から情報が要求された日時から所定の期間内（例えば３ヶ月以内）のセールに関する情報を抽出する。
【００２２】
図５に示すセール情報記憶部１２３には、５つのセールに関する情報が記憶されており、提供装置１００は、５つのセールに関する情報に基づいて、ストアＡへ提供するセール情報ＩＶ１１を生成する。例えば、提供装置１００は、セールＳＬ１やセールＳＬ２やセールＳＬ３やセールＳＬ４やセールＳＬ５に関する情報に基づいて、ストアＡへ提供するセール情報ＩＶ１１を生成する。
【００２３】
なお、上述のように、「セールＳＬ＊（＊は任意の数値）」と記載した場合、そのセールはセールＩＤ「ＳＬ＊」により識別されるセールであることを示す。例えば、「セールＳＬ１」と記載した場合、そのセールはセールＩＤ「ＳＬ１」により識別されるセールである。
【００２４】
また、図１の例では、説明を簡単にするために、セールＳＬ１〜ＳＬ５について、対応するセールの入稿期間内であれば、ストアＡが商品をエントリー可能である場合を説明するが、参加条件に応じて、ストアが商品を登録不可能なセールや登録できない商品が対象商品となっている場合、ストアが商品を登録不可能にするが、この点についての詳細は、図１３及び図１２において後述する。
【００２５】
図１の例では、提供装置１００は、１０月１８日１２時が入稿期間に含まれないセールＳＬ３やセールＳＬ４やセールＳＬ５については、ストアＡが商品を登録不可能に、セール情報ＩＶ１１を生成する。例えば、提供装置１００は、セールＳＬ３やセールＳＬ４やセールＳＬ５については、商品の登録画面へ遷移するボタンを非表示にしたセール情報ＩＶ１１を生成することにより、セールＳＬ３やセールＳＬ４やセールＳＬ５については、ストアＡが商品を登録不可能してもよい。なお、提供装置１００は、セールＳＬ３やセールＳＬ４やセールＳＬ５について、ストアＡが商品を登録不可能な態様であれば、どのような態様のセール情報ＩＶ１１を生成してもよい。例えば、図１の例では、提供装置１００は、コンテンツＣＴ１１やコンテンツＣＴ１２等を含む種々のセール情報ＩＶ１１を生成する。
【００２６】
そして、提供装置１００は、生成したセール情報ＩＶ１１をストア装置２０へ提供する（ステップＳ１３）。図１の例では、提供装置１００は、セール情報ＩＶ１１をストアＡのストア装置２０−１へ提供する。また、図１の例では、提供装置１００は、セール情報ＩＶ１１にはコンテンツＣＴ１１やコンテンツＣＴ１２等を含む種々の情報が含まれる。
【００２７】
提供装置１００からセール情報ＩＶ１１が提供されたストア装置２０は、セールＳＬ１〜ＳＬ５の各セールの概要を示す情報を含むコンテンツＣＴ１１を表示する。なお、図１の例では、提供装置１００が一度にセール情報ＩＶ１１をストア装置２０に提供する場合を図示するが、提供装置１００はストア装置２０からの要求に応じてストア装置２０に表示するセール情報ＩＶ１１の部分を提供してもよい。例えば、提供装置１００は、まずコンテンツＣＴ１１を提供し、管理者Ｍ１のコンテンツＣＴ１１への操作に応じて、ストア装置２０からのコンテンツＣＴ１２の要求に応じて、コンテンツＣＴ１２を送信してもよい。
【００２８】
例えば、図１に示す例において、ストア装置２０−１に表示されるコンテンツＣＴ１１には、セールＳＬ１の開催日時が「１０月２４日１２時〜０時（２４時）」であることを示す情報が含まれる。また、ストア装置２０−１に表示されるコンテンツＣＴ１１には、セールＳＬ１の開催期間が「１２時間」であることを示す情報が含まれる。また、ストア装置２０−１に表示されるコンテンツＣＴ１１には、セールＳＬ１における設定可能な割引率が「２０％〜９９％ＯＦＦ」、すなわち２０〜９９％の間で割引率を設定可能であることを示す情報が含まれる。また、ストア装置２０−１に表示されるコンテンツＣＴ１１には、セールＳＬ１における入稿開始が「１０月１７日０時」であり、入稿締切が「１０月１８日１８時」であることを示す情報が含まれる。また、ストア装置２０−１に表示されるコンテンツＣＴ１１には、セールＳＬ１の対象となる商品のカテゴリ（種別）が「酒類」であることを示す情報が含まれる。
【００２９】
このような、各セールＳＬ１〜ＳＬ５のセール情報を閲覧したストアＡの管理者Ｍ１は、コンテンツＣＴ１中の「詳細」ボタンを選択すること等により、各セールの詳細情報をストア装置２０に表示させることができる。また、セールＳＬ１の告知日時が「１０月１０日１０時」（図５参照）である。以下では、説明を簡単にするために、ストアＡがセールＳＬ１への参加条件を満たし、かつストアＡが１０月１０日１０時以降にワインＡである商品ＧＤ１の価格を変更していない場合を例に説明する。
【００３０】
なお、上述のように、「商品ＧＤ＊（＊は任意の数値）」と記載した場合、その商品は商品ＩＤ「ＧＤ＊」により識別される商品であることを示す。例えば、「商品ＧＤ１」と記載した場合、その商品は商品ＩＤ「ＧＤ１」により識別される商品である。
【００３１】
図１の例では、ストアＡの管理者Ｍ１は、所定の操作を行うことにより、セールＳＬ１のエントリー画面を表示させる（ステップＳ１４）。なお、図１の例では、図示を省略するが、セールＳＬ１のエントリー画面において商品ＧＤ１を対象商品として指定するものとする。そして、図１の例では、ストア装置２０−１からストア装置２０−２へ表示が遷移される。
【００３２】
ストア装置２０−２の画面には、ワインＡである商品ＧＤ１を対象商品としてセールの登録を行うコンテンツＣＴ１２が表示される。図１の例では、コンテンツＣＴ１２には、割引率を入力する入力欄ＢＸ１と、割引額を入力する入力欄ＢＸ２とが含まれる。また、図１の例では、対象商品のセールへの登録を行う「エントリー」と記載されたボタンＢＴ１が含まれる。
【００３３】
ストアＡの管理者Ｍ１は、情報入力を行う（ステップＳ１５）。図１の例では、ストアＡの管理者Ｍ１は、入力欄ＢＸ１に割引率を「５０」（％）に指定する情報を入力し、ボタンＢＴ１を押下する。これにより、図１の例では、ストアＡの管理者Ｍ１は、セールＳＬ１に割引率「５０％」でワインＡである商品ＧＤ１を登録する（ステップＳ１６）。例えば、ストア装置２０−２は、管理者Ｍ１の操作に応じて、管理者Ｍ１がワインＡを割引率５０％でセールＳＬ１の対象商品として登録することを示す情報を提供装置１００へ送信する。なお、セールへの商品の登録は上記に限らず、複数の商品を一括して登録してもよい。例えば、ストア装置２０は、複数の商品と、各商品の割引率または割引額とが対応付けられた一覧情報を提供装置１００に送信することにより、複数の商品を一括して登録してもよい。例えば、ストア装置２０は、複数の商品と、各商品の割引率または割引額とが対応付けられたＣＳＶ（Comma-Separated  Values）ファイルを提供装置１００に送信することにより、複数の商品を一括して登録してもよい。
【００３４】
ストア装置２０−２から管理者Ｍ１がワインＡを割引率５０％でセールＳＬ１の対象商品として登録することを示す情報を取得した提供装置１００は、ワインＡである商品ＧＤ１がセールＳＬ１の対象商品であることを示す情報を商品情報記憶部１２２（図４参照）に記憶する。具体的には、提供装置１００は、ワインＡである商品ＧＤ１がセールＳＬ１の対象商品であることを示す情報を図４の商品情報記憶部１２２中の商品ＧＤ１の「割引設定（セールＩＤ）」に「ＳＬ１」を登録し、「割引内容」に「５０」を登録する。これにより、提供装置１００は、ストアＡが販売するワインＡを割引率５０％でセールＳＬ１の対象商品として登録する。
【００３５】
その後、提供装置１００は、ユーザＵ１が利用する端末装置１０−１から情報の要求を取得する（ステップＳ１７）。図１の例では、提供装置１００は、端末装置１０−１からセールＳＬ１に関するセール対象商品情報の要求を１０月２４日１５時に取得する。図１に示す例において、ユーザＵ１は、端末装置１０−１の画面に表示された提供装置１００が提供する電子商取引サービスに関するショップサイトＡのページＷ１１において、所定の操作を行うことにより、セールＳＬ１に関するセール対象商品情報の要求を送信する。
【００３６】
端末装置１０からセールＳＬ１に関するセール対象商品情報の要求を取得した提供装置１００は、セールＳＬ１の対象となっている商品の情報を抽出する。図１の例では、提供装置１００は、商品情報記憶部１２２（図４参照）に記憶された各商品の情報のうち、「割引設定（セールＩＤ）」に「ＳＬ１」が登録された商品に関する情報を、セール対象商品情報として抽出する。図１の例では、提供装置１００は、商品ＧＤ１等のセールＳＬ１のセール対象になっている商品の情報を抽出する。
【００３７】
その後、提供装置１００は、抽出した商品情報を端末装置１０へ提供する（ステップＳ１８）。図１の例では、提供装置１００は、セールＳＬ１の対象となっている商品情報を端末装置１０−１へ提供する。
【００３８】
提供装置１００からセールＳＬ１のセール対象商品情報が提供された端末装置１０は、セールＳＬ１のセール対象商品情報を表示する（ステップＳ１９）。図１の例では、端末装置１０−１から端末装置１０−２へ表示が遷移される。
【００３９】
端末装置１０−２の画面には、セールＳＬ１のセール対象商品となっている商品ＧＤ１に関する情報を含むページＷ１２が表示される。具体的には、端末装置１０−２の画面には、セールＳＬ１の対象となっている商品を一覧表示するページＷ１２が表示される。図１の例では、商品ＧＤ１に関する情報の下部には、セールＳＬ１のセール対象商品となっている他の商品ＧＤ２に関する情報が配置されており、ユーザＵ１は表示を下方向に移動させる操作（スクロールやフリック等）を行うことにより、商品ＧＤ２等に関する情報を表示させることができる。
【００４０】
図１に示すページＷ１２の領域ＡＲ１１には、商品ＧＤ１に関する価格情報が表示される。例えば、領域ＡＲ１１には、商品ＧＤ１の通常販売価格が「４０００円」であり、セール価格が「２０００円」であること示す情報が表示される。また、例えば、領域ＡＲ１１には、商品ＧＤ１の割引率が「５０％」であり、値引額が「２０００円」であること示す情報が表示される。これにより、ユーザＵ１は、商品ＧＤ１がどの程度値下げされているかを把握することができる。なお、セールＳＬ１の終了後において、端末装置１０に商品ＧＤ１が表示される場合は、商品ＧＤ１の通常販売価格「４０００円」が販売価格として表示される。
【００４１】
上述したように、提供装置１００は、ストアに対して参加可能なセールへの商品の登録が可能なセール情報をストア装置２０へ送信する。また、提供装置１００からセール情報を受信したストア装置２０は、ストアの管理者等によるセールへの商品の登録を提供装置１００へ送信することにより、ストアの商品のセールへの登録を行う。これにより、提供装置１００は、販売元のセールへの参加を容易にすることができる。
【００４２】
〔２．提供装置の構成〕
次に、図２を用いて、実施形態に係る提供装置１００の構成について説明する。図２は、実施形態に係る提供装置１００の構成例を示す図である。図２に示すように、提供装置１００は、通信部１１０と、記憶部１２０と、制御部１３０とを有する。なお、提供装置１００は、提供装置１００の管理者等から各種操作を受け付ける入力部（例えば、キーボードやマウス等）や、各種情報を表示するための表示部（例えば、液晶ディスプレイ等）を有してもよい。
【００４３】
（通信部１１０）
通信部１１０は、例えば、ＮＩＣ（Network  Interface  Card）等によって実現される。そして、通信部１１０は、ネットワークと有線または無線で接続され、例えば提供システム１に含まれる端末装置１０等との間で情報の送受信を行う。
【００４４】
（記憶部１２０）
記憶部１２０は、例えば、ＲＡＭ（Random  Access  Memory）、フラッシュメモリ（Flash  Memory）等の半導体メモリ素子、または、ハードディスク、光ディスク等の記憶装置によって実現される。実施形態に係る記憶部１２０は、図２に示すように、ストア情報記憶部１２１と、商品情報記憶部１２２と、セール情報記憶部１２３と、条件情報記憶部１２４とを有する。
【００４５】
（ストア情報記憶部１２１）
実施形態に係るストア情報記憶部１２１は、販売元であるストアに関する各種情報を記憶する。図３は、実施形態に係るストア情報記憶部の一例を示す図である。例えば、ストア情報記憶部１２１は、ストアが販売する商品に関する情報を記憶する。図３に示すストア情報記憶部１２１には、「ストア」、「商品数」、「評価スコア（平均）」、「キャンセル率」といった項目が含まれる。
【００４６】
「ストア」は、商品の販売元であるストアを示す。なお、「ストア」には、ストアＩＤ等の販売元であるストアを識別するための識別情報が記憶されてもよい。
【００４７】
「商品数」は、ストアが販売する商品の数を示す。また、「評価スコア（平均）」は、ストアの評価を示す。例えば、「評価スコア（平均）」は、ユーザの評価に基づく評価スコアの平均値である。「キャンセル率」は、ストアが販売する商品のうち、キャンセルされた商品の割合を示す。「キャンセル率」は、ストアが販売した商品のうち、返品された商品の割合であってもよい。
【００４８】
例えば、図３に示す例において、ストアＡは、５０個の種別の商品を販売していることを示す。また、ストアＡに対する評価スコアの平均は「３．５」であることを示す。また、例えば、図３に示す例において、ストアＡが販売する商品のキャンセル率は、「２％」であることを示す。
【００４９】
なお、ストア情報記憶部１２１は、上記に限らず、目的に応じて種々の情報を記憶してもよい。例えば、ストア情報記憶部１２１は、ストアに関するセールの参加条件に用いられる各種情報を記憶してもよい。例えば、ストア情報記憶部１２１は、ストアが販売する商品の在庫に関する情報等種々の情報を記憶してもよい。
【００５０】
（商品情報記憶部１２２）
実施形態に係る商品情報記憶部１２２は、商品に関する各種情報を記憶する。図４は、実施形態に係る商品情報記憶部の一例を示す図である。図４に示す商品情報記憶部１２２は、「ストア」、「商品ＩＤ」、「商品名」、「種別」、「価格」、「在庫数」、「割引設定（セールＩＤ）」、「割引内容」といった項目を有する。
【００５１】
「ストア」は、対応する商品の販売元であるストアを示す。なお、「ストア」には、ストアＩＤ等の販売元であるストアを識別するための識別情報が記憶されてもよい。「商品ＩＤ」は、商品を識別するための識別情報を示す。「商品名」は、商品の具体的な名称等を示す。「種別」は、商品の種別（カテゴリ）具体的な名称等を示す。「価格」は、対応する商品の売値を示す。「在庫数」は、対応する商品の在庫数を示す。
【００５２】
「割引設定（セールＩＤ）」は、対応する商品がセールに登録されている場合、商品が登録されているセールを識別する情報が記憶される。「割引内容」は、対応する商品がセールに登録されている場合、商品が登録されているセールにおける割引の具体的な内容を示す情報が記憶される。
【００５３】
例えば、図４に示す例において、ストアＡは、商品ＩＤ「ＧＤ１」により識別される商品（商品ＧＤ１）等を販売する販売元であることを示す。また、商品ＧＤ１は、商品名が「ワインＡ」であり、種別（カテゴリ）が「飲料（酒類）」であり、価格が「４０００」（円）であり、在庫数が「１００」であることを示す。また、商品ＧＤ１は、セールＳＬ１に登録されており、その割引内容が「５０％」ＯＦＦ、つまり半額に値引きすることを示す。
【００５４】
また、例えば、図４に示す例において、ストアＢは、商品ＩＤ「ＧＤ２」により識別される商品（商品ＧＤ２）等を販売する販売元であることを示す。また、商品ＧＤ２は、商品名が「水Ｍ」であり、種別（カテゴリ）が「飲料（酒類）」であり、価格が「３００」（円）であることを示す。また、商品ＧＤ２は、いずれのセールにも登録されていないことを示す。
【００５５】
なお、商品情報記憶部１２２は、上記に限らず、目的に応じて種々の情報を記憶してもよい。例えば、商品情報記憶部１２２は、商品情報が追加された日時や商品情報が作成された日時に関する情報を記憶してもよい。また、商品情報記憶部１２２は、商品の画像や粗利、送料の有無、送料、商品を検索する際に使用されるキーワード、商品の種別等といった各種の商品情報を記憶してもよい。例えば、商品情報記憶部１２２は、「種別」として、階層的な種別（カテゴリ）を記憶してもよい。例えば、商品情報記憶部１２２は、商品「ワインＡ」の「種別」として、第１階層「飲料」、第２階層「酒類」、第３階層「洋酒」、第４階層「ワイン」等のように階層的な種別（カテゴリ）を記憶してもよい。
【００５６】
（セール情報記憶部１２３）
実施形態に係るセール情報記憶部１２３は、ユーザの行動に関する各種情報を記憶する。図５は、実施形態に係るセール情報記憶部の一例を示す図である。例えば、セール情報記憶部１２３は、各ユーザの端末装置１０に配信したコンテンツに対するユーザの行動等の各種の行動情報を記憶する。図５に示すセール情報記憶部１２３には、「セールＩＤ」、「開催日時」、「期間」、「設定割引率」、「入稿期間」、「告知日時」といった項目が含まれる。「入稿期間」には、「入稿開始」、「入稿締切」といった項目が含まれる。
【００５７】
「セールＩＤ」は、セールを識別するための識別情報を示す。例えば、セールＩＤ「ＳＬ１」により識別されるセールは、図１の例に示したセールＳＬ１に対応する。「開催日時」は、セールの開催日時を示す。「期間」は、セールの開催期間を示す。「設定割引率」は、セールで設定可能な割引率の範囲を示す。「入稿期間」は、セールへの商品の登録を受け付ける期間を示す。「入稿開始」は、セールへの商品の登録の受付けを開始する日時等を示す。「入稿締切」は、セールへの商品の登録の受付けを締め切る日時等を示す。「告知日時」は、セールの開催を告知した日時を示す。
【００５８】
例えば、図５に示す例において、セールＩＤ「ＳＬ１」により識別されるセール（セールＳＬ１）は、開催日時が「１０月２４日１２時〜０時（２４時）」であることを示す。また、セールＳＬ１は、開催期間が「１２時間」であることを示す。また、セールＳＬ１は、設定可能な割引率が「２０％〜９９％ＯＦＦ」、すなわち２０〜９９％の間で割引率を設定可能であることを示す。セールＳＬ１は、入稿開始が「１０月１７日０時」であり、入稿締切が「１０月１８日１８時」であることを示す。セールＳＬ１は、告知日時が「１０月１０日１０時」であることを示す。
【００５９】
なお、セール情報記憶部１２３は、上記に限らず、目的に応じて種々の情報を記憶してもよい。例えば、セール情報記憶部１２３には、「設定割引率」に限らず、「設定割引額」等のように値引きを示す情報であれば、どのような情報を記憶してもよい。
【００６０】
（条件情報記憶部１２４）
実施形態に係る条件情報記憶部１２４は、索引に関する各種情報を記憶する。図６は、実施形態に係る条件情報記憶部の一例を示す図である。図６に示す条件情報記憶部１２４は、「タイムセール番号（セールＩＤ）」、「エントリ条件」といった項目が含まれる。「エントリ条件」には、「在庫」、「商品数」、「商品種別」、「評価スコア」、「キャンセル率」といった項目が含まれる。
【００６１】
「タイムセール番号（セールＩＤ）」は、セールを識別するための識別情報を示す。例えば、セールＩＤ「ＳＬ１」により識別されるセールは、図１の例に示したセールＳＬ１に対応する。また、「エントリ条件」は、各セールへのストアの参加条件を示す。例えば、「エントリ条件」は、各セールへのストアの商品の登録条件を示す。「在庫」は、在庫に関する参加条件を示す。「商品数」は、商品数に関する参加条件を示す。「商品種別数」は、セールの登録対象となる商品種別を示す。「商品種別数」が条件として設定されている場合、「商品数」は、その商品種別の下位の階層における商品数に関する参加条件を示す。例えば、図６中のセールＳＬ１の場合、商品種別「酒類」の下位の階層に、「ワインＡ」、「ワインＷ」等の２０点以上の商品を販売するストアが参加条件を満たす。
【００６２】
また、「評価スコア」は、ストアの評価スコアに関する参加条件を示す。また、「キャンセル率」は、ストアのキャンセル率に関する参加条件を示す。
【００６３】
例えば、図６に示す例において、セールＩＤ「ＳＬ１」により識別されるセール（セールＳＬ１）は、在庫「１０」個以上あることを参加条件に含むことを示す。なお、そのストアが販売する全商品について在庫が「１０」個以上あることが参加条件であってもよいし、所定数（例えば、「商品数」の閾値）の商品の在庫が「１０」個以上あることが参加条件であってもよい。
【００６４】
例えば、図６に示す例において、セールＳＬ１は、商品数が「２０」点以上あることを参加条件に含むことを示す。また、例えば、図６に示す例において、セールＳＬ１は、商品種別が「酒類」であることを参加条件に含むことを示す。また、例えば、図６に示す例において、セールＳＬ１は、ストアの評価スコアが「１以上」であることを参加条件に含むことを示す。また、例えば、図６に示す例において、セールＳＬ１は、ストアのキャンセル率が「５％以下」であることを参加条件に含むことを示す。
【００６５】
なお、条件情報記憶部１２４は、上記に限らず、目的に応じて種々の情報を記憶してもよい。例えば、条件情報記憶部１２４は、各索引に対応する商品数を記憶してもよい。例えば、条件情報記憶部１２４は、各索引や各商品情報が追加された日時に関する情報を記憶してもよい。
【００６６】
（制御部１３０）
図２の説明に戻って、制御部１３０は、コントローラ（controller）であり、例えば、ＣＰＵ（Central  Processing  Unit）やＭＰＵ（Micro  Processing  Unit）等によって、提供装置１００内部の記憶装置に記憶されている各種プログラム（提供プログラムの一例に相当）がＲＡＭを作業領域として実行されることにより実現される。また、制御部１３０は、コントローラであり、例えば、ＡＳＩＣ（Application  Specific  Integrated  Circuit）やＦＰＧＡ（Field  Programmable  Gate  Array）等の集積回路により実現される。
【００６７】
図２に示すように、制御部１３０は、取得部１３１と、抽出部１３２と、生成部１３３と、提供部１３４とを有し、以下に説明する情報処理の機能や作用を実現または実行する。
【００６８】
（取得部１３１）
例えば、取得部１３１は、各種情報を取得する。例えば、取得部１３１は、ストア情報記憶部１２１や商品情報記憶部１２２やセール情報記憶部１２３や条件情報記憶部１２４から各種情報を取得する。また、取得部１３１は、各種情報を外部の情報処理装置から取得してもよい。例えば、取得部１３１は、端末装置１０やストア装置２０から各種情報を取得してもよい。
【００６９】
例えば、取得部１３１は、端末装置１０からセール中の商品に関する情報要求を取得する。例えば、取得部１３１は、ストア装置２０からセールに関する情報の要求を取得する。例えば、取得部１３１は、セールに関する情報が提供された販売元から商品の登録に関する情報を取得する。
【００７０】
図１の例では、取得部１３１は、ストアＡの管理者Ｍ１が利用するストア装置２０からセール情報の要求を取得する。図１の例では、取得部１３１は、１０月１８日１２時にストア装置２０からセール情報の要求を取得する。図１の例では、取得部１３１は、ユーザＵ１が利用する端末装置１０−１から情報の要求を取得する。図１の例では、取得部１３１は、端末装置１０−１からセールＳＬ１に関するセール対象商品情報の要求を１０月２４日に取得する。
【００７１】
（抽出部１３２）
抽出部１３２は、種々の情報を抽出する。例えば、抽出部１３２は、セールに関する情報を抽出する。また、例えば、抽出部１３２は、商品情報を抽出する。
【００７２】
図１の例では、抽出部１３２は、セール情報記憶部１２３からストアＡに情報提供するセールに関する情報を抽出する。図１の例では、抽出部１３２は、セール情報記憶部１２３（図５参照）から情報が要求された日時から所定の期間内（例えば３ヶ月以内）のセールに関する情報を抽出する。
【００７３】
図１の例では、抽出部１３２は、セールＳＬ１の対象となっている商品の情報を抽出する。図１の例では、提供装置１００は、商品情報記憶部１２２（図４参照）に記憶された各商品の情報のうち、「割引設定（セールＩＤ）」に「ＳＬ１」が登録された商品に関する情報を、セール対象商品情報として抽出する。図１の例では、抽出部１３２は、商品ＧＤ１等のセールＳＬ１のセール対象になっている商品の情報を抽出する。
【００７４】
（生成部１３３）
生成部１３３は、種々の情報を生成する。例えば、生成部１３３は、開催期間が設定されたセールであって、所定の電子商取引サービスにおいて販売される商品の価格を値引きするセールに関する情報を生成する。例えば、生成部１３３は、参加条件に基づいて登録可否が設定されたセールに関する情報を生成する。
【００７５】
例えば、生成部１３３は、販売元に関する条件を含む参加条件に基づいて登録可否が設定されたセールに関する情報を生成する。例えば、生成部１３３は、販売元の評価に関するスコア、または、販売元が提供する商品のキャンセル率に関する条件を含む参加条件に基づいて登録可否が設定されたセールに関する情報を生成する。例えば、生成部１３３は、販売元が提供する商品に関する条件を含む参加条件に基づいて登録可否が設定されたセールに関する情報を生成する。例えば、生成部１３３は、販売元が提供する商品の在庫、商品数、または商品の種別に関する条件を含む参加条件に基づいて登録可否が設定されたセールに関する情報を生成する。
【００７６】
例えば、生成部１３３は、割引率または割引額に関する条件が設定されたセールに関する情報を生成する。例えば、生成部１３３は、商品を登録可能なエントリー期間（入稿期間）が設定されたセールに関する情報を生成する。例えば、生成部１３３はセールに登録された登録済み商品が値引きされていることを示すセール情報を生成する。例えば、生成部１３３は、登録済み商品の一覧情報であるセール情報を生成する。
【００７７】
図１の例では、生成部１３３は、ストアＡからの要求に応じて、ストアＡへ提供するセール情報を生成する。図１では、生成部１３３は、２０１７年１０月１８日１２時にストアＡの管理者Ｍ１が利用するストア装置２０からのセール情報の要求に応じて、セール情報ＩＶ１１を生成する。図１の例では、生成部１３３は、セール情報記憶部１２３（図５参照）に記憶された各セールに関する情報に基づいて、ストアＡへ提供するセール情報を生成する。例えば、提供装置１００は、セール情報記憶部１２３からストアＡに情報提供するセールに関する情報を抽出する。例えば、提供装置１００は、セール情報記憶部１２３から情報が要求された日時から所定の期間内（例えば３ヶ月以内）のセールに関する情報を抽出する。図１の例では、生成部１３３は、セールＳＬ１やセールＳＬ２やセールＳＬ３やセールＳＬ４やセールＳＬ５に関する情報に基づいて、ストアＡへ提供するセール情報ＩＶ１１を生成する。
【００７８】
例えば、生成部１３３は、入稿期間外であるセールについては商品を登録不可能にする態様でセール情報を生成してもよい。例えば、生成部１３３は、入稿期間外のセールに対応する「詳細」ボタンを押下した後に表示する画面において「エントリー」ボタンを表示しないセール情報を生成してもよい。また、例えば、生成部１３３は、入稿期間外のセールについては、エントリー画面へ遷移するボタンを含まないセール情報を生成してもよい。
【００７９】
図１の例において、生成部１３３は、例えば、セール情報の要求元のストアが商品種別「飲料水」を販売していない場合、セールＳＬ２については商品を登録不可能にしたセール情報ＩＶ１１を生成してもよい。例えば、生成部１３３は、セールＳＬ２に対応する「詳細」ボタンを押下した後に表示する画面において「エントリー」ボタンを表示しないセール情報を生成してもよい。また、例えば、生成部１３３は、セール情報の要求元のストアが商品種別「飲料水」を販売していない場合、セールＳＬ２についてはエントリー画面へ遷移するボタンを含まないセール情報を生成してもよい。
【００８０】
例えば、生成部１３３は、情報要求元のストアがセールＳＬ１の告知日時以降に全商品の価格を値上げしている場合、セールＳＬ１については商品を登録不可能なセール情報を生成してもよい。例えば、生成部１３３は、セールＳＬ１に対応する「詳細」ボタンを押下した後に表示する画面において「エントリー」ボタンを表示しないセール情報を生成してもよい。
【００８１】
また、例えば、生成部１３３は、情報要求元のストアがセールＳＬ１の告知日時以降に価格を値上げしていない商品が有る場合、セールＳＬ１については商品を登録可能なセール情報を生成してもよい。図１の例では、提供装置１００は、セールＳＬ１に対応する「詳細」ボタンの押下後に表示されるコンテンツＣＴ１２中に「エントリー」と記載されたボタンＢＴ１を含むセール情報ＩＶ１１を生成してもよい。
【００８２】
（提供部１３４）
提供部１３４は、外部の情報処理装置へ各種情報を提供する。例えば、提供部１３４は、端末装置１０やストア装置２０へ各種情報を提供する。例えば、提供部１３４は、セールの開催の告知日時以降に価格が変更されていない商品をセールに対して登録可能に、商品を販売する販売元にセールに関する情報を提供する。
【００８３】
例えば、提供部１３４は、セールの開催の告知日時以降に価格が変更されていない商品をセールに対して登録可能に、商品を販売する販売元にセールに関する情報を提供する。例えば、提供部１３４は、告知日時以降に値上げされていない商品をセールに対して登録可能に、商品を販売する販売元にセールに関する情報を提供する。例えば、提供部１３４は、参加条件を満たす販売元が商品をセールに対して登録可能にセールに関する情報を販売元に提供する。例えば、提供部１３４は、割引率または割引額を指定可能にセールに関する情報を販売元に提供する。
【００８４】
例えば、提供部１３４は、割引率または割引額を指定可能にセールに関する情報を販売元に提供する。例えば、提供部１３４は、割引率または割引額を商品ごとに指定可能にセールに関する情報を販売元に提供する。例えば、提供部１３４は、エントリー期間内において商品を登録可能に、セールに関する情報を販売元に提供する。
【００８５】
例えば、提供部１３４は、所定の電子商取引サービスを利用するユーザに開催期間内においてセール情報を提供する。例えば、提供部１３４は、ユーザの指定に応じて表示態様を変更可能なセール情報をユーザに提供する。例えば、提供部１３４は、登録済み商品のうち、ユーザが指定した条件を満たす商品のみを含むセール情報をユーザに提供する。
【００８６】
例えば、提供部１３４は、生成部１３３により生成された種々の情報を提供する。図１の例では、提供部１３４は、生成部１３３により生成されたセール情報ＩＶ１１をストア装置２０へ提供する。図１の例では、提供部１３４は、セール情報ＩＶ１１をストアＡのストア装置２０−１へ提供する。図１の例では、提供部１３４は、抽出した商品情報を端末装置１０へ提供する。図１の例では、提供部１３４は、セールＳＬ１の対象となっている商品情報を端末装置１０−１へ提供する。
【００８７】
〔３．提供処理のフロー〕
ここで、図７及び図８を用いて、実施形態に係る提供装置１００による提供処理の手順について説明する。図７及び図８は、実施形態に係る提供処理の一例を示すフローチャートである。
【００８８】
図７に示すように、提供装置１００は、開催期間が設定されたセールに関する情報を生成する（ステップＳ１０１）。図１では、提供装置１００は、２０１７年１０月１８日１２時にストアＡの管理者Ｍ１が利用するストア装置２０からのセール情報の要求に応じて、セール情報ＩＶ１１を生成する。
【００８９】
また、提供装置１００は、商品を販売する販売元にセールに関する情報を提供する（ステップＳ１０２）。図１では、提供装置１００は、セールＳＬ１〜ＳＬ５等のセール得を含むセール情報ＩＶ１１をストアＡの管理者Ｍ１が利用するストア装置２０に提供する。
【００９０】
また、提供装置１００は、上述したステップＳ１０２におけるセールに関する情報の提供において、ストアに応じて各セールへの登録可否を反映したセールに関する情報を提供し、ストア装置２０に表示させる。この点について、図８を用いて説明する。例えば、図８に示す処理を各セールについて行うものとする。
【００９１】
また、提供装置１００は、セールが入稿期間であるかどうかを判定する（ステップＳ２０１）。セールが入稿期間でないと判定した場合（ステップＳ２０１：Ｎｏ）、提供装置１００は、商品をセールに対して登録不可能にセールに関する情報を表示する（ステップＳ２０５）。図１の例では、提供装置１００は、入稿期間外であるセールＳＬ３については商品を登録不可能に、セール情報ＩＶ１１を提供し、ストア装置２０に表示させる。図１の例では、提供装置１００は、セールＳＬ３に対応する「詳細」ボタンを押下した後の「エントリー」ボタンを表示しないことにより、セールＳＬ３については商品を登録不可能にしてもよい。
【００９２】
また、セールが入稿期間であると判定した場合（ステップＳ２０１：Ｙｅｓ）、提供装置１００は、参加条件を満たすかどうかを判定する（ステップＳ２０２）。情報要求元のストアが参加条件を満たさないと判定した場合（ステップＳ２０２：Ｎｏ）、提供装置１００は、商品をセールに対して登録不可能にセールに関する情報を表示する（ステップＳ２０５）。例えば、提供装置１００は、情報要求元のストアが商品種別「飲料水」を販売していない場合、セールＳＬ２については商品を登録不可能に、セール情報ＩＶ１１を提供し、ストア装置２０に表示させる。例えば、提供装置１００は、セールＳＬ２に対応する「詳細」ボタンを押下した後の「エントリー」ボタンを表示しないことにより、セールＳＬ２については商品を登録不可能にしてもよい。
【００９３】
また、例えば、提供装置１００は、情報要求元のストアが販売する商品数が１０点未満である場合、セールＳＬ３については商品を登録不可能に、セール情報ＩＶ１１を提供し、ストア装置２０に表示させる。例えば、提供装置１００は、セールＳＬ３に対応する「詳細」ボタンを押下した後の「エントリー」ボタンを表示しないことにより、セールＳＬ３については商品を登録不可能にしてもよい。
【００９４】
また、情報要求元のストアが参加条件を満たすと判定した場合（ステップＳ２０２：Ｙｅｓ）、提供装置１００は、告知日時以降に価格が変更されていない商品が有るかどうかを判定する（ステップＳ２０３）。情報要求元のストアについて、告知日時以降に価格が変更されていない商品がないと判定した場合（ステップＳ２０３：Ｎｏ）、提供装置１００は、商品をセールに対して登録不可能にセールに関する情報を表示する（ステップＳ２０５）。例えば、提供装置１００は、情報要求元のストアがセールＳＬ１の告知日時以降に全商品の価格を値上げしている場合、セールＳＬ１については商品を登録不可能に、セール情報ＩＶ１１を提供し、ストア装置２０に表示させる。図１の例では、提供装置１００は、セールＳＬ１に対応する「詳細」ボタンを押下した後の「エントリー」ボタンを表示しないことにより、セールＳＬ１については商品を登録不可能にしてもよい。
【００９５】
情報要求元のストアについて、告知日時以降に価格が変更されていない商品が有ると判定した場合（ステップＳ２０３：Ｙｅｓ）、提供装置１００は、商品をセールに対して登録可能にセールに関する情報を表示する（ステップＳ２０４）。例えば、提供装置１００は、情報要求元のストアがセールＳＬ１の告知日時以降に価格を値上げしていない商品が有る場合、セールＳＬ１については商品を登録可能に、セール情報ＩＶ１１を提供し、ストア装置２０に表示させる。図１の例では、提供装置１００は、セールＳＬ１に対応する「詳細」ボタンの押下後に表示されるコンテンツＣＴ１２中に「エントリー」と記載されたボタンＢＴ１を表示することにより、セールＳＬ１については商品を登録可能にしてもよい。
【００９６】
〔４．各期間の関係〕
ここで、図９を用いて、セールに関する各時点や期間に関する関係について説明する。図９は、実施形態に係る各期間の関係の一例を示す図である。具体的には、図９は、セールに関する各時点や期間と、価格の変更が禁止される期間である価格変更禁止期間との関係を示す図である。なお、提供システム１において、商品の値上げのみをストアの不正行為として取り扱う場合、価格変更禁止期間は、値上げ禁止期間であってもよい。
【００９７】
図９中の時系列ＴＬ１１は、所定のセール（以下、「セールＳＬ１００」とする）における各時点や期間の関係を示す。図９の例では、時点ｔ１１は、セールの実施が告知された日時に対応する。すなわち、図９の例では、時点ｔ１１以降に値上げをした商品は、ストアによる不正が行われた商品とみなされて、その商品をセールＳＬ１００に登録することが不可能となる。また、図９の例では、時点ｔ１２と時点ｔ１３との間が入稿期間に対応する。この場合、各ストアは、時点ｔ１２と時点ｔ１３との間において、セールＳＬ１００に入稿（登録）することが不可能となる。なお、図９の例では、時点ｔ１１と時点ｔ１２との間に所定の期間（例えば３日等）が設定される場合を示すが、時点ｔ１１と時点ｔ１２とは一致してもよい。すなわち、提供装置１００は、セールＳＬＸ１００の実施の告知と同時にセールＳＬＸ１００への商品の登録を受け付けてもよい。
【００９８】
また、図９の例では、時点ｔ１４と時点ｔ１５との間がタイムセール期間、すなわちセールＳＬ１００に登録にされた商品が値引き販売される期間に対応する。この場合、各ユーザは、時点ｔ１４と時点ｔ１５との間において、セールＳＬ１００に登録された商品を、値引きされた価格で購入することが可能となる。なお、図９の例では、時点ｔ１３と時点ｔ１４との間に所定の期間（例えば５日等）が設定される場合を示すが、時点ｔ１２と時点ｔ１４とは一致してもよいし、時点ｔ１４が時点ｔ１３よりも前であってもよい。すなわち、提供装置１００は、セールＳＬＸ１００への商品の登録の締切りと同時にセールＳＬＸ１００を開始してもよい。また、提供装置１００は、セールＳＬＸ１００への商品の登録の締切りよりも前にセールＳＬＸ１００を開始してもよい。
【００９９】
また、図９の例では、時点ｔ１１から日時ｔ１５の間に値上げをした商品は、ストアによる不正が行われた商品とみなされて、その商品をセールＳＬ１００に登録することが不可能となる。すなわち、提供装置１００は、セールＳＬＸ１００の実施の告知からタイムセール期間の終了までの間に値上げをした商品を、ストアによる不正が行われた商品とみなし、その商品をセールＳＬ１００に登録することが不可能にする。
【０１００】
このように、提供装置１００は、価格変更禁止期間を設定することにより、ストアによる値上げの不正を抑制する適切なセールを実現可能とすることができる。
【０１０１】
〔５．ユーザへの表示について〕
また、提供装置１００は、種々の表示態様によりユーザにセールに関する情報を提供してもよい。この点について、図１０を用いて説明する。図１０は、実施形態に係るユーザに対する表示の一例を示す図である。
【０１０２】
図１０の例では、端末装置１０は、セール対象商品情報を含むコンテンツＣＴ５１を表示する（ステップＳ５１）。例えば、コンテンツＣＴ５１は、６時間タイムセールのセール対象商品に関する情報を含む。
【０１０３】
ここで、ユーザは、所定の操作により、６時間タイムセールのセール対象商品を絞り込み表示してもよい。例えば、ユーザは、コンテンツＣＴ５１中のカテゴリを指定することにより、６時間タイムセールのセール対象商品のうち、指定したカテゴリに絞り込んだ一覧を端末装置１０に表示させてもよい。
【０１０４】
例えば、図１０の例では、端末装置１０は、６時間タイムセールのセール対象商品のうち、カテゴリ「ファッション」に絞り込んだ一覧コンテンツＣＴ５２を端末装置１０に表示する（ステップＳ５２）。例えば、ユーザは、所定の入力欄に「ファッション」と入力したり、カテゴリ「ファッション」に対応するアイコンを選択したりすることにより、６時間タイムセールのセール対象商品のうち、カテゴリ「ファッション」に絞り込んだ一覧コンテンツＣＴ５２を端末装置１０に表示する。例えば、一覧コンテンツＣＴ５２は、６時間タイムセールのセール対象商品のうち、カテゴリ「ファッション」対応する商品に関する情報を含む。これにより、ユーザは、自身が所望するカテゴリ「ファッション」に属するセール対象商品のみを閲覧することができる。
【０１０５】
例えば、図１０の例では、端末装置１０は、６時間タイムセールのセール対象商品のうち、カテゴリ「フード」に絞り込んだ一覧コンテンツＣＴ５３を端末装置１０に表示する（ステップＳ５３）。例えば、ユーザは、所定の入力欄に「フード」と入力したり、カテゴリ「フード」に対応するアイコンを選択したりすることにより、６時間タイムセールのセール対象商品のうち、カテゴリ「フード」に絞り込んだ一覧コンテンツＣＴ５３を端末装置１０に表示する。例えば、一覧コンテンツＣＴ５３は、６時間タイムセールのセール対象商品のうち、カテゴリ「フード」対応する商品に関する情報を含む。これにより、ユーザは、自身が所望するカテゴリ「フード」に属するセール対象商品のみを閲覧することができる。
【０１０６】
例えば、図１０の例では、端末装置１０は、６時間タイムセールのセール対象商品のうち、カテゴリ「家電」に絞り込んだ一覧コンテンツＣＴ５４を端末装置１０に表示する（ステップＳ５４）。例えば、ユーザは、所定の入力欄に「家電」と入力したり、カテゴリ「家電」に対応するアイコンを選択したりすることにより、６時間タイムセールのセール対象商品のうち、カテゴリ「家電」に絞り込んだ一覧コンテンツＣＴ５４を端末装置１０に表示する。例えば、一覧コンテンツＣＴ５４は、６時間タイムセールのセール対象商品のうち、カテゴリ「家電」対応する商品に関する情報を含む。これにより、ユーザは、自身が所望するカテゴリ「家電」に属するセール対象商品のみを閲覧することができる。
【０１０７】
〔６．登録不可能な表示態様〕
図１の例においては、ストアＡがセールＳＬ１〜ＳＬ５について、対応するセールの入稿期間内であれば、ストアＡが商品をエントリ可能である場合を説明したが、提供装置１００は、情報の要求元であるストアやストアが販売する商品に関する参加条件に基づいて、セールへの参加や商品の登録を不可能にしたセール情報を生成してもよい。この点について、図１１及び図１２を用いて説明する。図１１は、実施形態に係るセールに応じた登録可否の一例を示す図である。図１２は、実施形態に係る商品に応じた登録可否の一例を示す図である。
【０１０８】
まず、図１１を用いて、ストアがセールへの参加条件を満たさない場合のセール情報の生成について説明する。図１１に示す例においては、１０月１８日１２時に所定のストア（ストアＺ）からセール情報が要求され、その要求に応じてセール情報を生成する場合を示す。なお、図１と同様の点については適宜説明を省略する。
【０１０９】
図１１に示す例においては、提供装置１００は、コンテンツＣＴ２１を含むセール情報を生成する。そして、提供装置１００がコンテンツＣＴ２１をストアＺのストア装置２０に提供することにより、ストアＺのストア装置２０にコンテンツＣＴ２１が表示される。
【０１１０】
図１１に示すコンテンツＣＴ２１には、セールＳＬ１〜ＳＬ５の各セールの概要を示す情報が含まれる。図１１に示すコンテンツＣＴ２１では、セールＳＬ１には、「エントリー画面へ」と記載されたボタンＢＴ２１が表示されており、ストアＺはボタンＢＴ２１を押下することにより、セールＳＬ１への商品の登録画面へ遷移させることができる。
【０１１１】
一方、図１１の例では、セールＳＬ３は、入稿期間の開始が「１１月１７日１０時」であり、セール情報が要求された１０月１８日１２時よりも後である。また、図１１の例では、セールＳＬ４は、入稿期間の開始が「１１月２５日１５時」であり、セール情報が要求された１０月１８日１２時よりも後である。また、図１１の例では、セールＳＬ５は、入稿期間の開始が「１２月８日１０時」であり、セール情報が要求された１０月１８日１２時よりも後である。
【０１１２】
そのため、図１１の例では、提供装置１００は、１０月１８日１２時が入稿期間に含まれないセールＳＬ３やセールＳＬ４やセールＳＬ５については、ストアＡが商品を登録不可能に、セール情報を生成する。例えば、提供装置１００は、セールＳＬ３やセールＳＬ４やセールＳＬ５については、ボタンＢＴ２１のようなボタンを非表示にしたコンテンツＣＴ２１を含むセール情報を生成することにより、セールＳＬ３やセールＳＬ４やセールＳＬ５については、ストアＺが商品を登録不可能してもよい。
【０１１３】
また、図１１の例では、セールＳＬ２は、入稿期間の開始が「１０月１７日１０時」であり、入稿期間の締切が「１１月１４日１８時」であるため、セール情報が要求された１０月１８日１２時が入稿期間に含まれる。しかし、図１１の例では、セールＳＬ２は、ストアＺやストアＺが販売する商品がセールＳＬ２の参加条件を満たさないため、提供装置１００は、ボタンＢＴ２１のようなボタンを非表示にしたコンテンツＣＴ２１を含むセール情報を生成する。これにより、提供装置１００は、セールＳＬ２については、ストアＺが商品を登録不可能する。
【０１１４】
例えば、ストアＺが商品種別「飲料水」を販売していない場合、提供装置１００は、セールＳＬ２の対象となる商品種別「飲料水」をストアＺが販売していないため、ストアＺが販売する商品がセールＳＬ２の参加条件を満たさないとして、ボタンＢＴ２１のようなボタンを非表示にしたコンテンツＣＴ２１を含むセール情報を生成する。
【０１１５】
また、例えば、ストアＺの評価スコアが「１」未満である場合、提供装置１００は、ストアＺの評価スコアがセールＳＬ２のストア評価「１以上」ではないため、ストアＺがセールＳＬ２の参加条件を満たさないとして、ボタンＢＴ２１のようなボタンを非表示にしたコンテンツＣＴ２１を含むセール情報を生成する。なお、上記は一例であり、提供装置１００は、情報の要求元であるストアやストアが販売する商品が参加条件を満たさない場合、ボタンＢＴ２１のようなボタンを非表示にしたコンテンツＣＴ２１を含むセール情報を生成してもよい。
【０１１６】
次に、図１２を用いて、商品がセールの開催の告知日時以降に価格が変更された商品である場合にその商品を登録不可能にしたセール情報の生成について説明する。図１２の例では、商品ＧＤ３１（財布Ａ）を販売するストア（ストアＹ）が所定のセール（セールＳＬ３１）の価格変更禁止期間に商品ＧＤ３１の価格を値上げした場合を一例に示す。例えば、図９に示す時点ｔ１１から時点ｔ１３の間の価格変更禁止期間に対応する期間に価格が値上げされたものとする。そして、図１２に示す例においては、商品ＧＤ３１（財布Ａ）のエントリー画面であるコンテンツＣＴ３１を含むセール情報を生成する場合を示す。なお、図１と同様の点については適宜説明を省略する。
【０１１７】
図１２に示す例においては、提供装置１００は、コンテンツＣＴ３１を含むセール情報を生成する。そして、提供装置１００がコンテンツＣＴ３１をストアＹのストア装置２０に提供することにより、ストアＹのストア装置２０にコンテンツＣＴ３１が表示される。例えば、ストアＹは、セールの一覧表示するコンテンツ（例えばコンテンツＣＴ１１等）から、セールＳＬ３１を指定することにより、セールＳＬ３１のエントリー画面を表示させる。また、図１２の例では、図示を省略するが、セールＳＬ３１のエントリー画面において商品ＧＤ３１を対象商品として指定することにより、ストアＹのストア装置２０には、コンテンツＣＴ３１が表示される。
【０１１８】
ここで、商品ＧＤ３１は、セールＳＬ３１の価格変更禁止期間に値上げされた商品（「不正値上商品」ともいう）であるため、商品ＧＤ３１については、セールＳＬ３１に登録不可能にコンテンツＣＴ３１が表示される。例えば、提供装置１００は、商品ＧＤ３１については、セールＳＬ３１に登録不可能にするコンテンツＣＴ３１を生成し、ストアＹのストア装置２０に提供する。
【０１１９】
図１２の例では、ストア装置２０の画面には、財布Ａである商品ＧＤ３１を対象商品としてセールの登録を行うコンテンツＣＴ３１が表示される。図１２の例では、コンテンツＣＴ３１には、割引率を入力する入力欄ＢＸ３１と、割引額を入力する入力欄ＢＸ３２とが含まれる。図１２の例では、商品ＧＤ３１が不正値上商品であるため、入力欄ＢＸ３１や入力欄ＢＸ３２は、入力不可能な態様で表示される。また、図１２のコンテンツＣＴ３１では、図１に示す対象商品のセールへの登録を行うためのボタンＢＴ１のようなボタンは非表示とする。このように、セールＳＬ３１について不正値上商品である商品ＧＤ３１については、セールＳＬ３１に登録不可能なコンテンツＣＴ３１が表示される。また、図１２のコンテンツＣＴ３１では、告知後に値上げされた商品のため、登録できないことを示す文字情報ＣＭ３１を表示する。これにより、ストアＹの管理者等は、商品ＧＤ３１がセールＳＬ３１に登録できない理由を認識することができる。
【０１２０】
上述のように、提供装置１００は、不正値上商品についてはセールへの登録を不可能とし、不正値上商品以外の商品についてのみセールへの登録を可能とすることにより、セール開催直前に値上げするという商品の販売元の不正を抑制しつつ、販売元のセールへの参加を容易にすることができる。なお、価格変更禁止期間において値下げされた商品については、不正値上商品に該当しないとして、セールへの登録を可能としてもよい。
【０１２１】
〔７．効果〕
上述してきたように、実施形態に係る提供装置１００は、生成部１３３と、提供部１３４とを有する。生成部１３３は、開催期間が設定されたセールであって、所定の電子商取引サービスにおいて販売される商品の価格を値引きするセールに関する情報を生成する。提供部１３４は、セールの開催の告知日時以降に価格が変更されていない商品をセールに対して登録可能に、商品を販売する販売元にセールに関する情報を提供する。
【０１２２】
これにより、実施形態に係る提供装置１００は、セールの開催の告知日時以降に価格が変更されていない商品をセールに対して登録可能に、商品を販売する販売元にセールに関する情報を提供することにより、セール開催直前に値上げするという商品の販売元の不正を抑制しつつ、販売元のセールへの参加を容易にすることができる。
【０１２３】
また、実施形態に係る提供装置１００において、提供部１３４は、告知日時以降に値上げされていない商品をセールに対して登録可能に、商品を販売する販売元にセールに関する情報を提供する。
【０１２４】
これにより、実施形態に係る提供装置１００は、告知日時以降に値上げされていない商品をセールに対して登録可能に、商品を販売する販売元にセールに関する情報を提供することにより、セール開催直前に値上げするという商品の販売元の不正を抑制しつつ、販売元のセールへの参加を容易にすることができる。
【０１２５】
また、実施形態に係る提供装置１００において、生成部１３３は、参加条件に基づいて登録可否が設定されたセールに関する情報を生成する。提供部１３４は、参加条件を満たす販売元が商品をセールに対して登録可能にセールに関する情報を販売元に提供する。
【０１２６】
これにより、実施形態に係る提供装置１００は、参加条件を満たす販売元が商品をセールに対して登録可能にセールに関する情報を販売元に提供することにより、条件を満たす販売元のみがセールに参加できるため、販売元のセールへの参加を容易にすることができる。
【０１２７】
また、実施形態に係る提供装置１００において、生成部１３３は、販売元に関する条件を含む参加条件に基づいて登録可否が設定されたセールに関する情報を生成する。
【０１２８】
これにより、実施形態に係る提供装置１００は、販売元に関する条件を含む条件を満たす販売元のみがセールに参加できるため、販売元のセールへの参加を容易にすることができる。
【０１２９】
また、実施形態に係る提供装置１００において、生成部１３３は、販売元の評価に関するスコア、または、販売元が提供する商品のキャンセル率に関する条件を含む参加条件に基づいて登録可否が設定されたセールに関する情報を生成する。
【０１３０】
これにより、実施形態に係る提供装置１００は、販売元の評価に関するスコア、または、販売元が提供する商品のキャンセル率に関する条件を含む条件を満たす販売元のみがセールに参加できるため、販売元のセールへの参加を容易にすることができる。
【０１３１】
また、実施形態に係る提供装置１００において、生成部１３３は、販売元が提供する商品に関する条件を含む参加条件に基づいて登録可否が設定されたセールに関する情報を生成する。
【０１３２】
これにより、実施形態に係る提供装置１００は、販売元が提供する商品に関する条件を含む条件を満たす販売元のみがセールに参加できるため、販売元のセールへの参加を容易にすることができる。
【０１３３】
また、実施形態に係る提供装置１００において、生成部１３３は、販売元が提供する商品の在庫、商品数、または商品の種別に関する条件を含む参加条件に基づいて登録可否が設定されたセールに関する情報を生成する。
【０１３４】
これにより、実施形態に係る提供装置１００は、販売元が提供する商品の在庫、商品数、または商品の種別に関する条件を含む条件を満たす販売元のみがセールに参加できるため、販売元のセールへの参加を容易にすることができる。
【０１３５】
また、実施形態に係る提供装置１００において、生成部１３３は、販売元が提供する商品の在庫、商品数、または商品の種別に関する条件を含む参加条件に基づいて登録可否が設定されたセールに関する情報を生成する。
【０１３６】
これにより、実施形態に係る提供装置１００は、販売元が提供する商品の在庫、商品数、または商品の種別に関する条件を含む条件を満たす販売元のみがセールに参加できるため、販売元のセールへの参加を容易にすることができる。
【０１３７】
また、実施形態に係る提供装置１００において、生成部１３３は、割引率または割引額に関する条件が設定されたセールに関する情報を生成する。提供部１３４は、割引率または割引額を指定可能にセールに関する情報を販売元に提供する。
【０１３８】
これにより、実施形態に係る提供装置１００は、割引率または割引額を指定可能にセールに関する情報を販売元に提供することにより、条件を満たす販売元のみがセールに参加できるため、販売元のセールへの参加を容易にすることができる。
【０１３９】
また、実施形態に係る提供装置１００において、提供部１３４は、割引率または割引額を商品ごとに指定可能にセールに関する情報を販売元に提供する。
【０１４０】
これにより、実施形態に係る提供装置１００は、割引率または割引額を商品ごとに指定可能にセールに関する情報を販売元に提供することにより、条件を満たす販売元のみがセールに参加できるため、販売元のセールへの参加を容易にすることができる。
【０１４１】
また、実施形態に係る提供装置１００において、生成部１３３は、商品を登録可能なエントリー期間が設定されたセールに関する情報を生成する。提供部１３４は、エントリー期間内において商品を登録可能に、セールに関する情報を販売元に提供する。
【０１４２】
これにより、実施形態に係る提供装置１００は、エントリー期間内において商品を登録可能に、セールに関する情報を販売元に提供することにより、条件を満たす販売元のみがセールに参加できるため、販売元のセールへの参加を容易にすることができる。
【０１４３】
また、実施形態に係る提供装置１００において、生成部１３３は、セールに登録された登録済み商品が値引きされていることを示すセール情報を生成する。提供部１３４は、所定の電子商取引サービスを利用するユーザに開催期間内においてセール情報を提供する。
【０１４４】
これにより、実施形態に係る提供装置１００は、所定の電子商取引サービスを利用するユーザに開催期間内においてセール情報を提供することにより、ユーザへ適切な情報を提供することができる。
【０１４５】
また、実施形態に係る提供装置１００において、生成部１３３は、登録済み商品の一覧情報であるセール情報を生成する。提供部１３４は、ユーザの指定に応じて表示態様を変更可能なセール情報をユーザに提供する。
【０１４６】
これにより、実施形態に係る提供装置１００は、ユーザの指定に応じて表示態様を変更可能なセール情報をユーザに提供することにより、ユーザへ適切な情報を提供することができる。
【０１４７】
また、実施形態に係る提供装置１００において、提供部１３４は、登録済み商品のうち、ユーザが指定した条件を満たす商品のみを含むセール情報をユーザに提供する。
【０１４８】
これにより、実施形態に係る提供装置１００は、登録済み商品のうち、ユーザが指定した条件を満たす商品のみを含むセール情報をユーザに提供することにより、ユーザへ適切な情報を提供することができる。
【０１４９】
また、実施形態に係る提供装置１００は、取得部１３１を有する。取得部１３１は、セールに関する情報が提供された販売元から商品の登録に関する情報を取得する。
【０１５０】
これにより、実施形態に係る提供装置１００は、セールに関する情報が提供された販売元から商品の登録に関する情報を取得することにより、商品の販売元の不正を抑制しつつ、販売元のセールへの参加を容易にすることができる。
【０１５１】
〔８．ハードウェア構成〕
上述してきた実施形態に係る提供装置１００は、例えば図１３に示すような構成のコンピュータ１０００によって実現される。図１３は、提供装置の機能を実現するコンピュータの一例を示すハードウェア構成図である。コンピュータ１０００は、ＣＰＵ１１００、ＲＡＭ１２００、ＲＯＭ（Read  Only  Memory）１３００、ＨＤＤ（Hard  Disk  Drive）１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１５２】
ＣＰＵ１１００は、ＲＯＭ１３００またはＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１５３】
ＨＤＤ１４００は、ＣＰＵ１１００によって実行されるプログラム、及び、かかるプログラムによって使用されるデータ等を格納する。通信インターフェイス１５００は、ネットワークＮを介して他の機器からデータを受信してＣＰＵ１１００へ送り、ＣＰＵ１１００が生成したデータをネットワークＮを介して他の機器へ提供する。
【０１５４】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを入出力インターフェイス１６００を介して出力装置へ出力する。
【０１５５】
メディアインターフェイス１７００は、記録媒体１８００に格納されたプログラムまたはデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１５６】
例えば、コンピュータ１０００が実施形態に係る提供装置１００として機能する場合、コンピュータ１０００のＣＰＵ１１００は、ＲＡＭ１２００上にロードされたプログラムを実行することにより、制御部１３０の機能を実現する。コンピュータ１０００のＣＰＵ１１００は、これらのプログラムを記録媒体１８００から読み取って実行するが、他の例として、他の装置からネットワークＮを介してこれらのプログラムを取得してもよい。
【０１５７】
以上、本願の実施形態を図面に基づいて詳細に説明したが、これらは例示であり、発明の開示の行に記載の態様を始めとして、当業者の知識に基づいて種々の変形、改良を施した他の形態で本発明を実施することが可能である。
【０１５８】
〔９．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１５９】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１６０】
また、上述してきた実施形態に記載した各処理は、処理内容を矛盾させない範囲で適宜組み合わせることが可能である。
【０１６１】
また、上述してきた「部（section、module、unit）」は、「手段」や「回路」などに読み替えることができる。例えば、取得部は、取得手段や取得回路に読み替えることができる。
【符号の説明】
【０１６２】
１      提供システム
１００  提供装置
１２１  ストア情報記憶部
１２２  商品情報記憶部
１２３  セール情報記憶部
１２４  条件情報記憶部
１３０  制御部
１３１  取得部
１３２  抽出部
１３３  生成部
１３４  提供部
１０    端末装置
２０    ストア装置
Ｎ      ネットワーク
【図１】
2018142140.tif 000003
【図２】
2018142140.tif 000004
【図３】
2018142140.tif 000005
【図４】
2018142140.tif 000006
【図５】
2018142140.tif 000007
【図６】
2018142140.tif 000008
【図７】
2018142140.tif 000009
【図８】
2018142140.tif 000010
【図９】
2018142140.tif 000011
【図１０】
2018142140.tif 000012
【図１１】
2018142140.tif 000013
【図１２】
2018142140.tif 000014
【図１３】
2018142140.tif 000015
【手続補正書】
【提出日】平成29年10月24日(2017.10.24)
【手続補正１】
【補正対象書類名】特許請求の範囲
【補正対象項目名】全文
【補正方法】変更
【補正の内容】
【特許請求の範囲】
【請求項１】
記憶部に記憶された開催期間が設定されたセールの情報に基づく前記セールの概要を示す第１コンテンツと、前記記憶部に記憶された所定の電子商取引サービスにおいて販売される商品の情報に基づく前記商品を前記セールの対象商品として登録を行うための第２コンテンツとを含むセールに関する情報であって、前記商品の価格を値引きするセールに関する情報を生成する生成部と、
前記商品を販売する一の販売元が利用する情報処理装置に、前記生成部により生成された前記セールに関する情報を提供する提供部と、
を備えることを特徴とする提供装置。
【請求項２】
前記提供部は、
前記セールの開催の告知日時及び前記商品の価格変更の日時に基づき前記告知日時以降に価格が変更されていない前記商品の前記第２コンテンツを含む前記セールに関する情報を提供する
ことを特徴とする請求項１に記載の提供装置。
【請求項３】
前記生成部は、
前記一の販売元が参加条件を満たす場合に前記セールを選択するボタンが表示される前記第１コンテンツを含む前記セールに関する情報を生成し、
前記提供部は、
前記一の販売元が前記商品を前記セールに対して登録可能に前記セールに関する情報を販売元に提供する
ことを特徴とする請求項１または請求項２に記載の提供装置。
【請求項４】
前記生成部は、
販売元に関する条件を含む前記参加条件に基づいて登録可否が設定された前記第１コンテンツを含む前記セールに関する情報を生成する
ことを特徴とする請求項３に記載の提供装置。
【請求項５】
前記生成部は、
販売元の評価に関するスコア、または、販売元が提供する商品のキャンセル率に関する条件を含む前記参加条件に基づいて登録可否が設定された前記第１コンテンツを含む前記セールに関する情報を生成する
ことを特徴とする請求項４に記載の提供装置。
【請求項６】
前記生成部は、
販売元が提供する商品に関する条件を含む前記参加条件に基づいて登録可否が設定された前記第１コンテンツを含む前記セールに関する情報を生成する
ことを特徴とする請求項３〜５のいずれか１項に記載の提供装置。
【請求項７】
前記生成部は、
販売元が提供する商品の在庫、商品数、または商品の種別に関する条件を含む前記参加条件に基づいて登録可否が設定された前記第１コンテンツを含む前記セールに関する情報を生成する
ことを特徴とする請求項６に記載の提供装置。
【請求項８】
前記生成部は、
割引率または割引額に関する条件を示す情報を含む前記セールに関する情報を生成し、
前記提供部は、
前記割引率または前記割引額を指定可能に前記セールに関する情報を販売元に提供する
ことを特徴とする請求項１〜７のいずれか１項に記載の提供装置。
【請求項９】
前記提供部は、
前記割引率または前記割引額を商品ごとに指定可能に前記セールに関する情報を販売元に提供する
ことを特徴とする請求項８に記載の提供装置。
【請求項１０】
前記生成部は、
情報が要求された時点が商品を登録可能な前記セールのエントリー期間内である場合、前記セールを選択するボタンが表示される前記第１コンテンツを含む前記セールに関する情報を生成し、
前記提供部は、
前記エントリー期間内において商品を登録可能に、前記セールに関する情報を前記一の販売元に提供する
ことを特徴とする請求項１〜９のいずれか１項に記載の提供装置。
【請求項１１】
前記生成部は、
前記セールに登録された登録済み商品が値引きされていることを示すセール情報を生成し、
前記提供部は、
前記所定の電子商取引サービスを利用するユーザに前記開催期間内において前記セール情報を提供する
ことを特徴とする請求項１〜１０のいずれか１項に記載の提供装置。
【請求項１２】
前記生成部は、
前記登録済み商品の一覧情報であるセール情報を生成し、
前記提供部は、
前記ユーザの指定に応じて表示態様を変更可能な前記セール情報を前記ユーザに提供する
ことを特徴とする請求項１１に記載の提供装置。
【請求項１３】
前記提供部は、
前記登録済み商品のうち、前記ユーザが指定した条件を満たす商品のみを含む前記セール情報を前記ユーザに提供する
ことを特徴とする請求項１２に記載の提供装置。
【請求項１４】
前記セールに関する情報が提供された販売元から商品の登録に関する情報を取得する取得部、
をさらに備えることを特徴とする請求項１〜１３のいずれか１項に記載の提供装置。
【請求項１５】
コンピュータが実行する提供方法であって、
制御部が、記憶部に記憶された開催期間が設定されたセールの情報に基づく前記セールの概要を示す第１コンテンツと、前記記憶部に記憶された所定の電子商取引サービスにおいて販売される商品の情報に基づく前記商品を前記セールの対象商品として登録を行うための第２コンテンツとを含むセールに関する情報であって、前記商品の価格を値引きするセールに関する情報を生成する生成工程と、
前記制御部が、前記商品を販売する一の販売元が利用する情報処理装置に、前記生成部により生成された前記セールに関する情報を提供する提供工程と、
を含むことを特徴とする提供方法。
【請求項１６】
制御部が、記憶部に記憶された開催期間が設定されたセールの情報に基づく前記セールの概要を示す第１コンテンツと、前記記憶部に記憶された所定の電子商取引サービスにおいて販売される商品の情報に基づく前記商品を前記セールの対象商品として登録を行うための第２コンテンツとを含むセールに関する情報であって、前記商品の価格を値引きするセールに関する情報を生成する生成手順と、
前記制御部が、前記商品を販売する一の販売元が利用する情報処理装置に、前記生成部により生成された前記セールに関する情報を提供する提供手順と、
をコンピュータに実行させることを特徴とする提供プログラム。
【手続補正書】
【提出日】平成30年2月28日(2018.2.28)
【手続補正１】
【補正対象書類名】特許請求の範囲
【補正対象項目名】全文
【補正方法】変更
【補正の内容】
【特許請求の範囲】
【請求項１】
記憶部に記憶された開催期間が設定されたセールの情報に基づく前記セールの概要を示す第１コンテンツと、前記記憶部に記憶された所定の電子商取引サービスにおいて販売される商品の情報に基づく前記商品を前記セールの対象商品として登録を行うための第２コンテンツとを含むセールに関する情報であって、前記商品の価格を値引きするセールに関する情報を生成する生成部と、
前記商品を販売する一の販売元が利用する情報処理装置に、前記生成部により生成された前記セールに関する情報を提供する提供部と、
を備えることを特徴とする提供装置。
【請求項２】
前記提供部は、
前記セールの開催の告知日時及び前記商品の価格変更の日時に基づき前記告知日時以降に価格が変更されていない前記商品の前記第２コンテンツを含む前記セールに関する情報を提供する
ことを特徴とする請求項１に記載の提供装置。
【請求項３】
前記生成部は、
前記一の販売元が参加条件を満たす場合に前記セールを選択するボタンが表示される前記第１コンテンツを含む前記セールに関する情報を生成し、
前記提供部は、
前記一の販売元が前記商品を前記セールに対して登録可能に前記セールに関する情報を販売元に提供する
ことを特徴とする請求項１または請求項２に記載の提供装置。
【請求項４】
前記生成部は、
販売元に関する条件を含む前記参加条件に基づいて登録可否が設定された前記第１コンテンツを含む前記セールに関する情報を生成する
ことを特徴とする請求項３に記載の提供装置。
【請求項５】
前記生成部は、
販売元の評価に関するスコア、または、販売元が提供する商品のキャンセル率に関する条件を含む前記参加条件に基づいて登録可否が設定された前記第１コンテンツを含む前記セールに関する情報を生成する
ことを特徴とする請求項４に記載の提供装置。
【請求項６】
前記生成部は、
販売元が提供する商品に関する条件を含む前記参加条件に基づいて登録可否が設定された前記第１コンテンツを含む前記セールに関する情報を生成する
ことを特徴とする請求項３〜５のいずれか１項に記載の提供装置。
【請求項７】
前記生成部は、
販売元が提供する商品の在庫、商品数、または商品の種別に関する条件を含む前記参加条件に基づいて登録可否が設定された前記第１コンテンツを含む前記セールに関する情報を生成する
ことを特徴とする請求項６に記載の提供装置。
【請求項８】
前記生成部は、
割引率または割引額に関する条件を示す情報を含む前記セールに関する情報を生成し、
前記提供部は、
前記割引率または前記割引額を指定可能に前記セールに関する情報を販売元に提供する
ことを特徴とする請求項１〜７のいずれか１項に記載の提供装置。
【請求項９】
前記提供部は、
前記割引率または前記割引額を商品ごとに指定可能に前記セールに関する情報を販売元に提供する
ことを特徴とする請求項８に記載の提供装置。
【請求項１０】
前記生成部は、
情報が要求された時点が商品を登録可能な前記セールのエントリー期間内である場合、前記セールを選択するボタンが表示される前記第１コンテンツを含む前記セールに関する情報を生成し、
前記提供部は、
前記エントリー期間内において商品を登録可能に、前記セールに関する情報を前記一の販売元に提供する
ことを特徴とする請求項１〜９のいずれか１項に記載の提供装置。
【請求項１１】
前記生成部は、
前記セールに登録された登録済み商品が値引きされていることを示すセール情報を生成し、
前記提供部は、
前記所定の電子商取引サービスを利用するユーザに前記開催期間内において前記セール情報を提供する
ことを特徴とする請求項１〜１０のいずれか１項に記載の提供装置。
【請求項１２】
前記生成部は、
前記登録済み商品の一覧情報であるセール情報を生成し、
前記提供部は、
前記ユーザの指定に応じて表示態様を変更可能な前記セール情報を前記ユーザに提供する
ことを特徴とする請求項１１に記載の提供装置。
【請求項１３】
前記提供部は、
前記登録済み商品のうち、前記ユーザが指定した条件を満たす商品のみを含む前記セール情報を前記ユーザに提供する
ことを特徴とする請求項１２に記載の提供装置。
【請求項１４】
前記セールに関する情報が提供された販売元から商品の登録に関する情報を取得する取得部、
をさらに備えることを特徴とする請求項１〜１３のいずれか１項に記載の提供装置。
【請求項１５】
コンピュータが実行する提供方法であって、
制御部が、記憶部に記憶された開催期間が設定されたセールの情報に基づく前記セールの概要を示す第１コンテンツと、前記記憶部に記憶された所定の電子商取引サービスにおいて販売される商品の情報に基づく前記商品を前記セールの対象商品として登録を行うための第２コンテンツとを含むセールに関する情報であって、前記商品の価格を値引きするセールに関する情報を生成する生成工程と、
前記制御部が、前記商品を販売する一の販売元が利用する情報処理装置に、前記生成工程により生成された前記セールに関する情報を提供する提供工程と、
を含むことを特徴とする提供方法。
【請求項１６】
制御部が、記憶部に記憶された開催期間が設定されたセールの情報に基づく前記セールの概要を示す第１コンテンツと、前記記憶部に記憶された所定の電子商取引サービスにおいて販売される商品の情報に基づく前記商品を前記セールの対象商品として登録を行うための第２コンテンツとを含むセールに関する情報であって、前記商品の価格を値引きするセールに関する情報を生成する生成手順と、
前記制御部が、前記商品を販売する一の販売元が利用する情報処理装置に、前記生成手順により生成された前記セールに関する情報を提供する提供手順と、
をコンピュータに実行させることを特徴とする提供プログラム。